(57)【要約】【課題】一般家庭に広く普及しているＴＶ受像器を用いて、インターネットに接続することなく、撮影された画像データや音声データを放送波を用いて受信して、簡単な操作で閲覧、鑑賞することができるデータ配信システム、装置、および方法を提供する。【解決手段】ユーザ端末１０から通信網１４を介して画像データを受信し、受信した画像データを放送形式データに変換し、変換した放送形式データを機器ＩＤを備えるＴＶ受像器２６に放送波を用いて送信する。【選択図】    図１
2004350053.tif 000002
【特許請求の範囲】
【請求項１】
情報端末から通信回線を介してデータを受信する受信手段と、
前記受信手段によって受信したデータを放送形式データに変換する変換手段と、
前記変換手段によって変換された放送形式データを、識別情報を備えるテレビ受像器に放送波を用いて送信する送信手段と、
を備えることを特徴とするデータ配信装置。
【請求項２】
前記受信手段で受信するデータは、前記情報端末で記録された画像データ及び／又は音声データであることを特徴とする請求項１に記載のデータ配信装置。
【請求項３】
前記送信手段は、データの送信要求情報に基づいて、前記変換された放送形式データを送信することを特徴とする請求項１に記載のデータ配信装置。
【請求項４】
前記通信回線は、前記データを一時的に記憶しておくデータサーバを含むことを特徴とする請求項１に記載のデータ配信装置。
【請求項５】
データを送信する情報端末と、前記情報端末から前記データを受信して記憶するデータサーバと、このデータサーバ上のデータを受信し、放送形式データに変換して、識別情報を備えたＴＶ受像器に送信するデータ配信装置とを備えたデータ配信システムであって、
前記情報端末は、通信回線を介して自身に記憶しているデータを前記データサーバに送信するデータ送信手段を備え、
前記データサーバは、前記情報端末から受信した前記データを前記データ配信装置に転送する転送手段を備え、
前記データ配信装置は、前記データサーバから転送された前記データを受信し、受信した前記データを放送形式データに変換して記憶する記憶手段と、
前記ＴＶ受像器が備える識別情報に基づいて前記記憶された放送形式データをＴＶ受像器に送信する放送形式データ送信手段とを備え、
前記ＴＶ受像器は、前記データ配信装置から送信されてくる放送形式データを受信して表示する表示手段を備える
ことを特徴とするデータ配信システム。
【請求項６】
前記情報端末が前記データサーバに送信するデータは、前記情報端末で記録された画像データ及び／又は音声データであることを特徴とする請求項５に記載のデータ配信システム。
【請求項７】
情報端末から通信回線を介してデータを受信する受信ステップと、
前記受信ステップによって受信したデータを放送形式データに変換する変換ステップと、
前記変換ステップによって変換された放送形式データを、識別情報を備えるテレビ受像器に放送波を用いて送信する送信ステップと、
を有することを特徴とするデータ配信方法。
【請求項８】
前記受信ステップで受信するデータは、前記情報端末で記録された画像データ及び／又は音声データであることを特徴とする請求項７に記載のデータ配信方法。
【請求項９】
前記送信ステップは、データの送信要求情報に基づいて、前記変換された放送形式データを送信することを特徴とする請求項７に記載のデータ配信方法。
【請求項１０】
前記通信回線は、前記データを一時的に記憶しておくデータサーバを含むことを特徴とする請求項７に記載のデータ配信方法。
【発明の詳細な説明】
【０００１】
【発明の属する技術分野】
この発明は、携帯端末等で記録したデータを放送波を用いてＴＶ受像器に配信するデータ配信システム、装置、および方法に関する。
【０００２】
【従来の技術】
近年、携帯電話、携帯情報端末（ＰＤＡ）、カメラ付腕時計等の携帯端末で写真や動画等を撮影して記憶して、あるいは、デジタルカメラ等で撮影した画像データや音声データ等をパーソナルコンピュータ等の情報端末に記憶して、記憶したこれらのデータを携帯電話等の携帯端末やパーソナルコンピュータ等にインターネット等を経由して送信する利用形態が増加している。このような形態の場合、これらのデータを受信できるのは、撮影された画像や動画の再生に対応する携帯電話等の携帯端末、あるいはパーソナルコンピュータ等の情報端末となる（特許文献１参照）。
【０００３】
【特許文献１】
特開２０００−２５０８５４。
【０００４】
【発明が解決しようとする課題】
ところが、このような構成では、撮影された画像データや音声データを受信するのは、撮影された画像や動画の再生に対応する携帯電話等の限られた携帯端末、あるいはパーソナルコンピュータ等の限られた情報端末となり、これらの端末を所持しない人や、所持していても扱いが煩雑で操作が困難という人には、撮影された画像データや音声データを閲覧、鑑賞することができない。
【０００５】
この発明は上記事情に着目してなされたもので、その目的とするところは、一般家庭に広く普及しているＴＶ受像器を用いて、インターネットに接続することなく、撮影された画像データや音声データを放送波を用いて受信して、簡単な操作で閲覧、鑑賞することができるデータ配信システム、装置、および方法を提供することにある。
【０００６】
【課題を解決するための手段】
本発明はかかる課題を解決するものであり、請求項１の発明は、情報端末から通信回線を介してデータを受信する受信手段と、前記受信手段によって受信したデータを放送形式データに変換する変換手段と、前記変換手段によって変換された放送形式データを、識別情報を備えるテレビ受像器に放送波を用いて送信する送信手段とを備えることを特徴とするデータ配信装置である。
【０００７】
したがって請求項１の発明は、情報端末から通信回線を介してデータが受信され、受信されたデータが放送形式データに変換され、変換された放送形式データが識別情報を備えるテレビ受像器に放送波を用いて送信される。このため、一般家庭に広く普及しているＴＶ受像器を用いて、インターネットに接続することなく、携帯端末等で撮影された画像データや音声データを放送波を用いて受信して、簡単な操作で閲覧、鑑賞することができる。
【０００８】
また、請求項２の発明は、前記受信手段で受信するデータは、前記情報端末で記録された画像データ及び／又は音声データであることを特徴とするデータ配信装置である。
【０００９】
したがって請求項２の発明は、受信されるデータは、情報端末で記録された画像データ及び／又は音声データである。このため、携帯電話等の携帯端末やパーソナルコンピュータ等の情報端末等の画像データ及び／又は音声データ（動画データを含む）をＴＶ受像器にて受信して視聴することができる。
【００１０】
また、請求項３の発明は、前記送信手段は、データの送信要求情報に基づいて、前記変換された放送形式データを送信することを特徴とするデータ配信装置である。
【００１１】
したがって請求項３の発明は、データの送信要求情報に基づいて、変換された放送形式データが送信される。このため、ＴＶ受像器から任意のタイミングで所望のデータを受信することができる。
【００１２】
また、請求項４の発明は、前記通信回線は、前記データを一時的に記憶しておくデータサーバを含むことを特徴とするデータ配信装置である。
【００１３】
したがって請求項４の発明は、通信回線には、データを一時的に記憶しておくデータサーバが含まれる。このため、既存の設備であるデータサーバに蓄積されているデータを用いて放送波によりＴＶ受像器に当該データを送信することができる。
【００１４】
また、請求項５の発明は、データを送信する情報端末と、前記情報端末から前記データを受信して記憶するデータサーバと、このデータサーバ上のデータを受信し、放送形式データに変換して、識別情報を備えたＴＶ受像器に送信するデータ配信装置とを備えたデータ配信システムであって、前記情報端末は、通信回線を介して自身に記憶しているデータを前記データサーバに送信するデータ送信手段を備え、前記データサーバは、前記情報端末から受信した前記データを前記データ配信装置に転送する転送手段を備え、前記データ配信装置は、前記データサーバから転送された前記データを受信し、受信した前記データを放送形式データに変換して記憶する記憶手段と、前記ＴＶ受像器からの送信要求情報があった場合は、ＴＶ受像器が備える識別情報に基づいて前記記憶された放送形式データを前記送信要求情報のあったＴＶ受像器に送信する放送形式データ送信手段とを備え、前記ＴＶ受像器は、放送形式データの送信要求情報を前記データ配信装置に送信し、前記送信要求情報に基づいて前記データ配信装置から送信されてくる放送形式データを受信して表示する表示手段を備えることを特徴とするデータ配信システムである。
【００１５】
したがって請求項５の発明は、通信回線を介して自身に記憶しているデータがデータサーバに送信されるデータ送信手段を備えた情報端末と、情報端末から受信したデータがデータ配信装置に転送される転送手段を備えたデータサーバと、データサーバから転送されたデータが受信され、受信されたデータが放送形式データに変換されて記憶される記憶手段、ＴＶ受像器が備える識別情報に基づいて記憶された放送形式データがＴＶ受像器に送信される放送形式データ送信手段とを備えたデータ配信装置と、データ配信装置から送信されてくる放送形式データが受信され、表示される表示手段を備えたＴＶ受像器とを有することを特徴とするデータ配信システムである。このため、一般家庭に広く普及しているＴＶ受像器を用いて、インターネットに接続することなく、携帯端末等で撮影された画像データや音声データを放送波を用いて受信して、簡単な操作で閲覧、鑑賞することができる。
【００１６】
また、請求項６の発明は、前記情報端末が前記データサーバに送信するデータは、前記情報端末で記録された画像データ及び／又は音声データであることを特徴とするデータ配信システムである。
【００１７】
したがって請求項６の発明は、通信回線には、データを一時的に記憶しておくデータサーバが含まれる。このため、既存の設備であるデータサーバに蓄積されているデータを用いて放送波によりＴＶ受像器に当該データを送信することができる。
【００１８】
また、請求項７の発明は、情報端末から通信回線を介してデータを受信する受信ステップと、前記受信ステップによって受信したデータを放送形式データに変換する変換ステップと、前記変換ステップによって変換された放送形式データを、識別情報を備える特定のテレビ受像器に放送波を用いて送信する送信ステップとを有することを特徴とするデータ配信方法である。
【００１９】
したがって請求項７の発明は、情報端末から通信回線を介してデータが受信され、受信されたデータが放送形式データに変換され、変換された放送形式データが識別情報を備えるテレビ受像器に放送波を用いて送信される。このため、一般家庭に広く普及しているＴＶ受像器を用いて、インターネットに接続することなく、携帯端末等で撮影された画像データや音声データを放送波を用いて受信して、簡単な操作で閲覧、鑑賞することができる。
【００２０】
また、請求項８の発明は、前記受信ステップで受信するデータは、前記情報端末で記録された画像データ及び／又は音声データであることを特徴とするデータ配信方法である。
【００２１】
したがって請求項８の発明は、受信されるデータは、情報端末で記録された画像データ及び／又は音声データである。このため、携帯電話等の携帯端末やパーソナルコンピュータ等の情報端末等の画像データ及び／又は音声データ（動画データを含む）をＴＶ受像器にて受信して視聴することができる。
【００２２】
また、請求項９の発明は、前記送信ステップは、データの送信要求情報に基づいて、前記変換された放送形式データを送信することを特徴とするデータ配信方法である。
【００２３】
したがって請求項９の発明は、データの送信要求情報に基づいて、変換された放送形式データが送信される。このため、ＴＶ受像器から任意のタイミングで所望のデータを受信することができる。
【００２４】
また、請求項１０の発明は、前記通信回線は、必要に応じて前記データを一時的に記憶しておくデータサーバを含むことを特徴とするデータ配信方法である。
【００２５】
したがって請求項１０の発明は、通信回線には、データを一時的に記憶しておくデータサーバが含まれる。このため、既存の設備であるデータサーバに蓄積されているデータを用いて放送波によりＴＶ受像器に当該データを送信することができる。
【００２６】
【発明の実施の形態】
図１は、この発明の第１の実施形態に係わるデータ配信方法を適用したデータ配信システムの一実施形態を示す構成ブロック図である。
【００２７】
このデータ配信システムは、デジタルカメラ機能等を用いて撮影、記録した画像データや音声データ等を自身に記憶する記憶領域を有する携帯電話等の携帯端末等であるユーザ端末１０と、このユーザ端末１０と無線通信を行うための基地局１２と、基地局１２に接続可能な電話回線やインターネット等のネットワークである通信網１４と、通信網１４に接続可能であり、受信したデータを放送用データに変換する放送用サーバ２０と、放送用サーバ２０で変換されたデータを放送波によって放送する放送装置２４と、放送装置２４からの放送波を受信して、受信した内容を表示する表示手段および機器ＩＤ等を備えたＴＶ受像器２６とから少なくとも構成される。また、ＴＶ受像器２６が備えている機器ＩＤは、例えば、有料衛星放送の衛星放送受信機等に備えられているＣＡＳ（Ｃｏｎｄｉｔｉｏｎａｌ  Ａｃｃｅｓｓ  Ｓｙｓｔｅｍ）で用いられているＩＤカード等であり、ＴＶ受像器２６を特定できるものであればよい。
【００２８】
なお、以下、ユーザ端末１０は、携帯電話として説明を行うが、ユーザ端末１０は、パーソナルコンピュータ等であってもよく、この場合には、デジタルカメラ等で撮影された画像データや音声データ等をユーザ端末１０に記憶し、インターネット等を経由してユーザ端末１０から放送用サーバ２０にデータを送信する。
【００２９】
放送用サーバ２０は、図２に示すように、ユーザ端末１０から受信した画像データや音声データ等の受信データをＢＭＬ（Ｂｒｏａｄｃａｓｔ  Ｍａｒｋｕｐ  Ｌａｎｇｕａｇｅ）等の放送形式データに変換するデータ変換機能２１ａやユーザ認証等の処理を行なう処理部（図示せず）を備える制御部２１と、当該放送用サーバ２０にアクセスしたユーザ端末１０とのユーザ認証処理に用いるＩＤやパスワード等のユーザ情報等を記憶するユーザ情報記憶領域２２ａ、ユーザ端末１０から受信した画像データや音声データ等の受信データを記憶する受信データ記憶領域２２ｂ、放送形式データに変換されたＢＭＬ等のデータを閲覧するためのブラウザや各種テンプレート等を記憶するアプリケーション記憶領域２２ｃ等を備える記憶部２２と、放送装置２４に変換後の放送形式データの送信等を行う通信部２３とを有する。
【００３０】
次に図３は、この発明の第１の実施形態に係わるデータ配信装置を適用したデータ配信方法の一連の処理を示すシーケンス図である。
【００３１】
ユーザ端末１０は、当該ユーザ端末１０自身が備えるデジタルカメラ等で画像データ（動画データ）や音声データ（以下、画像データとする）を撮影、記録（記憶）しており、これらのデータを放送用サーバ２０に電子メールに添付する等の方法で送信する場合には、ステップＳ１で、放送用サーバ２０にアクセスして、ユーザ端末１０内に記憶されているＩＤやパスワード等のユーザ識別情報と、放送用サーバ２０が備える記憶部２２のユーザ情報記憶領域２２ａに記憶されているＩＤやパスワード等のユーザ識別情報とが照合されることで、ユーザ認証処理が行われる。次に、ユーザ端末１０は、ユーザ認証処理が終了するとステップＳ２で、放送用サーバ２０が備える記憶部２２の受信データ記憶領域２２ｂ内のユーザ固有の記憶エリアにアクセスし、画像データを当該記憶エリアに送信する。なお、初めてユーザ端末１０が放送用サーバ２０にアクセスした場合等には、新たにユーザ固有の記憶エリアを作成する等の処理を行う。
【００３２】
放送用サーバ２０は、受信した画像データをステップＳ３で、受信データ記憶領域２２ｂに記憶し、ステップＳ４で所定の形式の放送形式データ、例えばＢＭＬ形式のデータに変換する。この場合、データを受信した際にＴＶ受像器２６で表示されるように、記憶部２２のアプリケーション記憶領域２２ｃからＢＭＬのブラウザ等のアプリケーションビューアを変換データに合成して放送形式データとする。例えば、図４に示すようなＳｈｏｃｋｗａｖｅ  Ｆｌａｓｈ（登録商標）等を用いたパズルゲームのテンプレートに受信した画像データを組み込むこともできる。また、図５に示すように、スロットゲームのテンプレートに受信した画像データを組み込むこともできる。さらに、図６に示すように、ブラウザ等の画像ビューアにペイントツールを組み込んだテンプレートで、受信した画像データを表示させ、当該ペイントツールにて画像データを加工することもでき、このように各種のプログラムを使用したテンプレートやブラウザ等のビューアを適用することにより、受信した画像データを柔軟に利用することができる。
【００３３】
放送用サーバ２０の通信部２３は、ステップＳ６で、放送装置２４を介して放送形式データを放送する。この場合、ＴＶ受像器２６の機器ＩＤとしてＣＡＳ等の技術を用いることにより、放送形式データを受信するＴＶ受像器２６を特定して放送する。
【００３４】
ＴＶ受像器２６は、ＣＡＳ等の技術により、当該ＴＶ受像器２６に特定された放送形式データを受信して、表示する。この際、ＴＶ受像器２６が備えるチューナー部等の記憶部に、受信した放送形式データを記憶して蓄積しておいてもよい。この場合には、ＴＶ受像器２６が備える表示部等に蓄積データありの表示を出すようにしておいてもよい。
【００３５】
以上で、データ配信装置を適用したデータ配信方法を用いた一連の処理を終了する。
【００３６】
以上より、一般家庭に広く普及しているＴＶ受像器を用いて、インターネットに接続することなく、携帯端末等で撮影された画像データや音声データを放送波を用いて受信して、簡単な操作で閲覧、鑑賞することができる。
【００３７】
次に、図７は、この発明の第２の実施形態に係わるデータ配信方法を適用したデータ配信システムの一実施形態を示す構成ブロック図である。第１の実施形態との違いは、データサーバ３０がユーザ端末１０からのデータを最初に受信する点である。なお、第１の実施形態と同様の箇所は同符号を用いて詳細な説明は上述に譲る。
【００３８】
このデータ配信システムは、上述したユーザ端末１０と、基地局１２と、通信網１４と、通信網１４に接続可能であり、受信したデータを一時的に蓄積しておき、必要に応じて蓄積したデータを転送（送信）し、ＩＤやパスワード等のユーザ端末１０のユーザ識別情報を備えたデータサーバ３０と、データサーバ３０から転送されてきたデータを放送用データに変換する放送用サーバ２０と、放送装置２４と、ＴＶ受像器２６とから少なくとも構成される。なお、データサーバ３０は、添付ファイルの受信機能がない携帯端末にデータの保存場所であるＵＲＬ等を通知したりする機能を有する既存の設備である。また、第１の実施形態と同様に、ＴＶ受像器２６が備えている機器ＩＤは、例えば、有料衛星放送の衛星放送受信機等に備えられているＣＡＳで用いられているＩＤカード等であり、ＴＶ受像器２６を特定できるものであればよい。
【００３９】
なお、以下、ユーザ端末１０は、携帯電話として説明を行うが、ユーザ端末１０は、パーソナルコンピュータ等であってもよく、この場合には、デジタルカメラ等で撮影された画像データや音声データ等をユーザ端末１０に記憶し、インターネット等を経由してユーザ端末１０から放送用サーバ２０にデータを送信する。
【００４０】
次に図８は、この発明の第２の実施形態に係わるデータ配信装置を適用したデータ配信方法の一連の処理を示すシーケンス図である。
【００４１】
ユーザ端末１０は、当該ユーザ端末１０自身が備えるデジタルカメラ等で画像データを撮影、記録しており、これらのデータを放送用サーバ２０に電子メールに添付する等の方法で送信する場合には、ステップＳ１０で、データサーバ３０にアクセスして、ユーザ端末１０内に記憶されているＩＤやパスワード等のユーザ識別情報と、当該データサーバ３０が備えるＩＤやパスワード等のユーザ識別情報とが照合されることで、ユーザ認証処理が行われる。次に、ユーザ端末１０は、ユーザ認証処理が終了するとステップＳ１１で、データサーバ３０内のユーザ固有の記憶エリアにアクセスし、画像データを当該記憶エリアに送信する。なお、初めてユーザ端末１０がデータサーバ３０にアクセスした場合等には、新たにユーザ固有の記憶エリアを作成する等の処理を行う。
【００４２】
データサーバ３０は、受信した画像データをステップＳ１２で記憶して、ステップＳ１３で放送用サーバ２０に転送（送信）する。放送用サーバ２０は、受信した画像データを受信データ記憶領域２２ｂに記憶し、以下、ステップＳ１４〜Ｓ１６までは、第１の実施形態と同様の処理を行う。
【００４３】
以上より、既存の設備であるデータサーバ３０を用いることでも、第１の実施形態と同様の効果を奏することができる。
【００４４】
なお、上述した第１および第２の実施形態では、放送用サーバ２０が放送形式データを特定のＴＶ受像器２６に対し放送して放送形式データを送信しているが、放送形式データを放送用サーバ２０に記憶しておき、ＴＶ受像器２６からの送信要求があった場合に記憶している放送形式データを送信するようにしてもよい。この場合には、放送用サーバ２０が備える記憶部２２のユーザ情報記憶領域２２ａにＴＶ受像器２６の機器ＩＤを記憶しておき、この機器ＩＤとＴＶ受像器２６が備える機器ＩＤとを照合してＴＶ受像器２６のユーザ認証を行う。
【００４５】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００４６】
【発明の効果】
請求項１の発明によれば、一般家庭に広く普及しているＴＶ受像器を用いて、インターネットに接続することなく、携帯端末等で撮影された画像データや音声データを放送波を用いて受信して、簡単な操作で閲覧、鑑賞することができる。
【００４７】
請求項２の発明によれば、携帯電話等の携帯端末やパーソナルコンピュータ等の情報端末等の画像データ及び／又は音声データ（動画データを含む）をＴＶ受像器にて受信して視聴することができる。
【００４８】
請求項３の発明によれば、ＴＶ受像器から任意のタイミングで所望のデータを受信することができる。
【００４９】
請求項４の発明によれば、既存の設備であるデータサーバに蓄積されているデータを用いて放送波によりＴＶ受像器に当該データを送信することができる。
【００５０】
請求項５の発明によれば、一般家庭に広く普及しているＴＶ受像器を用いて、インターネットに接続することなく、携帯端末等で撮影された画像データや音声データを放送波を用いて受信して、簡単な操作で閲覧、鑑賞することができる。
【００５１】
請求項６の発明によれば、既存の設備であるデータサーバに蓄積されているデータを用いて放送波によりＴＶ受像器に当該データを送信することができる。
【００５２】
請求項７の発明によれば、一般家庭に広く普及しているＴＶ受像器を用いて、インターネットに接続することなく、携帯端末等で撮影された画像データや音声データを放送波を用いて受信して、簡単な操作で閲覧、鑑賞することができる。
【００５３】
請求項８の発明によれば、携帯電話等の携帯端末やパーソナルコンピュータ等の情報端末等の画像データ及び／又は音声データ（動画データを含む）をＴＶ受像器にて受信して視聴することができる。
【００５４】
請求項９の発明によれば、ＴＶ受像器から任意のタイミングで所望のデータを受信することができる。
【００５５】
請求項１０の発明によれば、既存の設備であるデータサーバに蓄積されているデータを用いて放送波によりＴＶ受像器に当該データを送信することができる。
【図面の簡単な説明】
【図１】この発明の第１の実施形態に係わるデータ配信方法を適用したデータ配信システムの一実施形態を示す構成ブロック図。
【図２】図１の放送用サーバの構成を示すブロック図。
【図３】この発明の第１の実施形態に係わるデータ配信装置を適用したデータ配信方法の一連の処理を示すシーケンス図。
【図４】アプリケーション記憶領域に記憶されているブラウザや各種テンプレート等を変換データに適用した際の一例を示した模式図。
【図５】アプリケーション記憶領域に記憶されているブラウザや各種テンプレート等を変換データに適用した際の一例を示した模式図。
【図６】アプリケーション記憶領域に記憶されているブラウザや各種テンプレート等を変換データに適用した際の一例を示した模式図。
【図７】この発明の第２の実施形態に係わるデータ配信方法を適用したデータ配信システムの一実施形態を示す構成ブロック図。
【図８】この発明の第２の実施形態に係わるデータ配信装置を適用したデータ配信方法の一連の処理を示すシーケンス図。
【符号の説明】
１０…ユーザ端末、１２…基地局、１４…通信網、２０…放送用サーバ、２１ａ…データ変換機能、２１…制御部、２２ａ…ユーザ情報記憶領域、２２ｂ…受信データ記憶領域、２２ｃ…アプリケーション記憶領域、２２…記憶部、２３…通信部、２４…放送装置、２６…ＴＶ受像器、３０…データサーバ
【図１】
2004350053.tif 000003
【図２】
2004350053.tif 000004
【図３】
2004350053.tif 000005
【図４】
2004350053.tif 000006
【図５】
2004350053.tif 000007
【図６】
2004350053.tif 000008
【図７】
2004350053.tif 000009
【図８】
2004350053.tif 000010